(57)【要約】      （修正有）【課題】氷を溶かしながら、その滴下液を茶抽出室にもたらし、時間を充分にかけながら茶液を抽出するようにした氷出し茶抽出器を提供する。【解決手段】軸方向一端に接続開口６を、他端に茶注ぎ口７を、内部に氷収容室８を備えた第１の容器２と、軸方向一端に接続開口を備え、内部に茶葉を収容すると共に茶を抽出する茶抽出室１０を形成する第２の容器３と、各容器の接続開口を向かい合わせ状にして、第１の容器と第２の容器とを、フィルタ手段５を介在して連通状態に接続する接続部材４とからなり、第１の容器内に氷を収容し、第２の容器内に茶葉を収容して、これらを接続部材により一軸状に接続し、氷出し茶抽出時には、第１の容器を上にして起立状態に維持し、第１の容器内の氷の溶液を第２の容器の茶抽出室内に滴下し、氷出し茶の注ぎ出し時には、抽出液を第１の容器の茶注ぎ口から注ぎ出すようにした氷出し茶抽出器。【選択図】図４
0003134428.tif 000002
【実用新案登録請求の範囲】
【請求項１】
軸方向一端に接続開口を備え、他端に茶注ぎ口を備え、内部に氷を収容する氷収容室を備えた第１の容器と、
軸方向一端に接続開口を備え、内部に茶葉を収容するとともに、茶を抽出する茶抽出室を形成する第２の容器と、
前記第１および第２の容器を、各容器の接続開口を向き合わせ状にして、フィルタ手段を介在して、連通状態に接続する接続部材とからなり、
前記第１の容器内に氷を収容し、前記第２の容器内に茶葉を収容して、これらを接続部材により一軸状に接続し、氷出し茶抽出時には、前記第１の容器を上にして起立状態に維持し、第１の容器内の氷の溶液を前記第２の容器の茶抽出室内に滴下し、氷出し茶の注ぎ出し時には、該抽出液を前記第１の容器の茶注ぎ口から注ぎ出すようにしたことを特徴とする氷出し茶抽出器。
【請求項２】
前記接続部材が、軸方向一端に、前記第１の容器の接続開口側を着脱自在に接続する第１の接続手段を備え、軸方向他端に、前記第２の容器の接続開口側を着脱自在に接続する第２の接続手段を備え、軸方向中間部に、フィルタ手段を備えたものからなることを特徴とする請求項１に記載の氷出し茶抽出器。
【請求項３】
前記フィルタ手段が、前記接続部材とは別のフィルタ部材により構成され、前記フィルタ部材が、前記第１の容器と接続部材との接続端面間、あるいは、前記接続部材と第２の容器との接続端面間に着脱自在に配置されるものからなることを特徴とする請求項１あるいは請求項２に記載の氷出し茶抽出器。
【考案の詳細な説明】
【技術分野】
【０００１】
この考案は、氷によって日本茶を抽出しようとするものであり、当該氷を溶かしながら、その滴下液を茶葉収容室にもたらし、時間を充分にかけながら茶液を抽出するようにした氷出し茶抽出法に用いる氷出し茶抽出器に関するものである。
【背景技術】
【０００２】
一般的に、日本茶は、急須などに収納した茶の葉に対してお湯を注いで、茶液を抽出し、これをそのまま戴くものであり、夏場など暑い状況のなかでは、これを冷却し、さらには氷を浮かべて飲まれることもある。一方、日本茶の茶葉を冷水に浸し、時間をかけて該冷水によって茶液を抽出することも知られている。
【０００３】
お茶のうま味成分は、比較的低温で溶け出すのに対し、渋味成分のタンニンは、約８０℃以上の高温にならないと溶けにくいので、時間をかけて冷水で抽出すると、高級茶になればなるほど、お湯で入れた時とはまた違った甘味のあるお茶を供することができる。さらに、日本茶に含まれているリラックス効果などで知られるテアニンなどのうま味成分を、溶け出した氷の雫だけでじっくりと入れると、しっとりと甘い風味の究極の茶液を抽出することができる。
【考案の開示】
【考案が解決しようとする課題】
【０００４】
そこで、この考案は、氷を溶かしながら、その滴下液を茶葉収容室にもたらし、時間を充分にかけながら茶液を抽出するようにした氷出し茶抽出法に対して、該茶液を抽出するに適した氷出し茶抽出器を提供するものである。
【課題を解決するための手段】
【０００５】
この考案は、上記する目的を達成するにあたって、請求項１に記載の考案は、軸方向一端に接続開口を備え、他端に茶注ぎ口を備え、内部に氷を収容する氷収容室を備えた第１の容器と、軸方向一端に接続開口を備え、内部に茶葉を収容するとともに、茶を抽出する茶抽出室を形成する第２の容器と、前記第１および第２の容器を、各容器の接続開口を向き合わせ状にして、前記第１の容器と第２の容器とを、フィルタ手段を介在して、連通状態に接続する接続部材とからなり、前記第１の容器内に氷を収容し、前記第２の容器内に茶葉を収容して、これらを前記接続部材により一軸状に接続し、氷出し茶抽出時には、前記第１の容器を上にして起立状態に維持し、第１の容器内の氷の溶液を前記第２の容器の茶抽出室内に滴下し、氷出し茶の注ぎ出し時には、該抽出液を第１の容器の茶注ぎ口から注ぎ出すようにしたことを特徴とする氷出し茶抽出器を構成するものである。
【０００６】
さらに、この考案において請求項２に記載の考案は、請求項１に記載の氷出し茶抽出器であって、前記接続部材が、軸方向一端に、前記第１の容器の接続開口側を着脱自在に接続する第１の接続手段を備え、軸方向他端に、前記第２の容器の接続開口側を着脱自在に接続する第２の接続手段を備え、軸方向中間部に、フィルタ手段を備えたものからなることを特徴とするものである。
【０００７】
さらにまた、この考案において請求項３に記載の考案は、請求項１あるいは請求項２に記載の氷出し茶抽出器であって、前記フィルタ手段が、前記接続部材とは別のフィルタ部材により構成され、前記フィルタ部材が、前記第１の容器と接続部材との接続端面間、あるいは、前記接続部材と第２の容器との接続端面間に着脱自在に配置されるものからなることを特徴とするものである。
【考案の効果】
【０００８】
この考案になる氷出し茶抽出器は、まず第１には、極めて簡潔な構造の構成部材の組み合わせにより構成されるものであって、多量生産に適合し、経済的にも極めて有利に作用するものである。第２には、構成部材が、それぞれ着脱自在に接続することができる第１および第２の容器と接続部材とによって構成されるものであり、氷出し茶抽出法によって茶液を抽出する際、簡便な操作によって各部材を接続して組み立てることができ、氷が溶けているあいだ、安定した状態にしておくことができ、茶液抽出後は、極めて簡単に、抽出茶を注ぎ出すことができ、さらには、使用後、分離して極めて簡単に洗浄することができ、これらの点において極めて有効に作用するものといえる。
【考案を実施するための最良の形態】
【０００９】
以下、この考案になる氷出し茶抽出器について、図面に示す具体的な実施例に基づいて詳細に説明する。図１は、この考案になる氷出し茶抽出器の具体的な一実施例を示すものであって、第１の容器と第２の容器とを接続部材を介して接続した状態を示す概略的な正面図である。第２図は、第１図におけるＡ−Ａ線に沿って断面にし、矢示方向に見た概略的なＡ−Ａ線断面図である。図３は、各構成部材を軸方向に分離した状態を示す概略的な正面図である。
【００１０】
一方、図４各図は、この考案になる氷出し茶抽出器について、その使用方法の手順を示すものであって、図４Ａは、第１の容器の注ぎ口にコルク栓を嵌め、接続開口を上に向けて、この接続開口から第１の容器における氷収容室内に氷を収容する状態を示す概略的な斜視図であり、図４Ｂは、適量の氷の収容後、前記第１の容器の接続開口に接続部材をねじ込む状態を示す概略的な斜視図であり、図４Ｃは、第２の容器内に適量の茶葉を収容し、前記第１の容器を逆さにして該第１の容器の接続開口にねじ込まれている接続部材の他端側の接続手段を介して、第２の容器の接続開口にねじ込み、この状態を維持して氷出し茶抽出を行っている状態を示す概略的な斜視図である。
【００１１】
まず、この考案になる氷出し茶抽出器１は、例えば、図１〜図４に示すように、第１の容器２、第２の容器３、接続部材４およびフィルタ手段５の組合せによって構成されるものである。前記第１の容器２は、軸方向一端２ａに接続開口６を備え、他端２ｂに茶注ぎ口７を備えており、内部に氷Ｉｃを収容する氷収容室８を備えた形態でなる氷収容用の容器である。これに対して、前記第２の容器３は、軸方向一端３ａに接続開口９を備え、内部に茶葉Ｔｅを収容するとともに、茶を抽出する茶抽出室１０を形成する茶抽出用の容器である。
【００１２】
前記第１の容器２における茶注ぎ口７は、コルク栓１１によって封閉されるようになっている。前記第２の容器３における底壁１２の内面１２ａは、好ましくは平坦な面によって構成される。当該第２の容器３における茶抽出室１０内に収容された茶葉Ｔｅが周囲に逃げないようにし、茶抽出が平均的に行われるようにしてある。
【００１３】
前記第１の容器２および第２の容器３は、ガラス製、あるいは、プラスチック製のものであり、基本的には、透明あるいは着色透明のものである。前記第２の容器３は、内部に茶葉Ｔｅを収容するものであるので、見栄えの点で、半透明あるいは不透明であること、さらには、表面梨地処置を施すことなどが好ましく、そのように構成した場合には、デザイン的にも、前記第１の容器２についても、半透明あるいは不透明のものとして構成することが好ましい。
【００１４】
これらに対して、接続部材４は、前記第１の容器２および第２の容器３を、当該各容器の接続開口６、９を向き合わせ状にして、その間にフィルタ手段５を介在して、連通状態に接続するためのものである。この接続部材４は、例えば、ＡＢＳ樹脂、エラストマーなどの合成樹脂製のもの、あるいは、その他の素材、金属、自然木、その他のプラスチックなどによるものであってもよい。
【００１５】
前記接続部材４は、軸方向一端４ａに、前記第１の容器２の接続開口６側を着脱自在に接続する第１の接続手段１３を備え、軸方向他端４ｂに、前記第２の容器３の接続開口９側を着脱自在に接続する第２の接続手段１４を備えている。前記第１の接続手段１３および第２の接続手段１４は、例えば、内径の異なる内径ねじ１５、１６により形成されている。前記第１の容器２の接続開口６側の外周に、前記第１の接続手段１３の内径ねじ１５に対応する外径ねじ１７が設けてあり、前記第２の容器３の接続開口９側の外周に、第２の接続手段１４の内径ねじ１６に対応する外径ねじ１８が設けてある。
【００１６】
前記フィルタ手段５は、図２に示す実施例において、前記接続部材４に対して一体的に構成されている。すなわち、図2に示す実施例において、前記フィルタ手段５は、前記接続部材４の軸方向中間部に仕切り壁１９状に設けられていて、多数の小孔２０を備えたものからなっている。
【００１７】
このフィルタ手段５は、前記接続部材４とは別のフィルタ部材により構成されるものであってもよく、その場合、このフィルタ部材は、前記第１の容器２と接続部材４との接続端面間、あるいは、前記接続部材４と第２の容器３との接続端面間に着脱自在に配置されるパッキング２１、２２に合わせて、その少なくとも一方に介在して配置されるようになっている。前記パッキング２１、２２の両方に合わせて二つのフィルタ部材を用いる場合には、例えば、一方のフィルタ部材を粗い目に構成し、他方のフィルタ部材を細かい目に構成することが好ましい。
【００１８】
次いで、この考案になる氷出し茶抽出器の使用方法について、図４各図に基づいて詳細に説明する。
まず、この考案になる氷出し茶抽出器１と、適量の氷Ｉｃと、適量の茶葉Ｔｅなどを準備しておく。そこで、前記氷出し茶抽出器１を、図３に示すように、第１の容器２、第２の容器３、接続部材４を分離する。このように準備した後、第１の容器２の注ぎ口７にコルク栓１１を嵌めたまま、接続開口６を上に向けて、この接続開口６から第１の容器２における氷収容室８内に適量の氷Ｉｃを収容する（図４Ａ参照）。氷Ｉｃの量は、５人分の茶抽出するとして、約１５０ｇ程度（第１の容器２の４分の３までが目安）である。第１の容器２対する氷量の目安は、第１の容器２の軸方向の高さ寸法が、１１５ｍｍであるとすれば、第１の容器２の下から約８６ｍｍ位である。第１の容器２内に、氷Ｉｃの収容後、前記第１の容器２の接続開口６の外周に設けてある外ねじ１７に接続部材４をねじ込む（図４Ｂ参照）。
【００１９】
続いて、第２の容器３内に適量の茶葉Ｔｅを収容する。茶葉Ｔｅの量は、５人分の茶抽出するとして、約１０ｇ程度である。第２の容器３内に茶葉Ｔｅを収容した後、前記第１の容器２をひっくりかえして該第１の容器２の接続開口６にねじ込まれている接続部材４の他端側４ｂの接続手段１４を介して、第２の容器３の接続開口９の外周に設けてある外ねじ１８にねじ込む（図４Ｃ参照）。この状態を維持して、当該氷出し茶抽出器１を冷蔵庫内に収納して数時間をかけて氷出し茶抽出を行う。常温の場所で氷出し茶抽出を行うと抽出茶の質が低下するので、冷蔵庫内での抽出が好ましい。この氷出し茶抽出時間は、５人分の茶抽出の場合にあって、約１０時間程度であり、２人分の茶抽出の場合にあって、約６時間程度であった。
【００２０】
上記する茶抽出時間の経過後、第２の容器３における茶抽出室１０内に適量の茶抽出液がたまった段階で（氷が残っていてもよい）、コルク栓１１を抜き取り、当該氷出し茶抽出器１を逆さにして、内部の茶抽出液を、フィルタ手段５、第１の容器２の氷収容室８を通して、第１の容器２の茶注ぎ口７から茶碗などに注ぎだすようになっている。
【図面の簡単な説明】
【００２１】
【図１】図１は、この考案になる氷出し茶抽出器の具体的な一実施例を示すものであって、第１の容器と第２の容器とを接続部材を介して接続した状態を示す概略的な正面図である。
【図２】第２図は、第１図におけるＡ−Ａ線に沿って断面にし、矢示方向に見た概略的なＡ−Ａ線断面図である。
【図３】図３は、各構成部材を軸方向に分離した状態を示す概略的な正面図である。
【図４】図４各図は、この考案になる氷出し茶抽出器について、その使用方法の手順を示すものであって、図４Ａは、第１の容器の注ぎ口にコルク栓を嵌め、接続開口を上に向けて、この接続開口から第１の容器における氷収容室内に氷を収容する状態を示す概略的な斜視図であり、図４Ｂは、適量の氷の収容後、前記第１の容器の接続開口に接続部材をねじ込む状態を示す概略的な斜視図であり、図４Ｃは、第２の容器内に適量の茶葉を収容し、前記第１の容器を逆さにして該第１の容器の接続開口にねじ込まれている接続部材の他端側の接続手段を介して、第２の容器の接続開口にねじ込み、この状態を維持して氷出し茶抽出を行っている状態を示す概略的な斜視図である。
【符号の説明】
【００２２】
１  氷出し茶抽出器
２  第１の容器
３  第２の容器
４  接続部材
５  フィルタ手段
６  第１の容器の接続開口
７  茶注ぎ口
８  氷収容室
Ｉｃ  氷
Ｔｅ  茶葉
９  第２の容器の接続開口
１０  茶抽出室
１１  コルク栓
１２  第２の容器の底壁
１２ａ  底壁内面
１３  第１の接続手段
１４  第２の接続手段
１５  第１の接続手段の内径ねじ
１６  第２の接続手段の内径ねじ
１７  第１の容器の接続開口外周に設けた外径ねじ
１８  第２の容器の接続開口外周に設けた外径ねじ
１９  仕切り壁
２０  フィルタ小孔
２１、２２  パッキング
【図１】
0003134428.tif 000003
【図２】
0003134428.tif 000004
【図３】
0003134428.tif 000005
【図４】
0003134428.tif 000006